(57)【要約】［課題］障害が発生した場合に、復旧処理において障害発生前と同じ分類状態を再現する。［解決手段］紙幣処理装置１００は、紙幣番号を取得する取得部１１２と、紙幣情報を取得する識別部１１３と、複数の集積部１０６ａ〜１０６ｄと、制御部１１１と、を備えている。制御部１１１は、通常モードを実行し、紙幣情報に基づいて紙幣の搬送先を決定し、集積部１０６ａ〜１０６ｄのいずれかに分類集積するように紙幣の搬送を制御するとともに、紙幣番号と分類情報とを関連付けて記憶する。また、制御部１１１は、紙幣番号モードを実行して、取得部１１２が取得した紙幣番号に関連付けられている分類情報に基づいて紙幣の搬送先を決定し、集積部１０６ａ〜１０６ｄのいずれかに分類集積するように紙幣の搬送を制御する。
2014017350.tif 000002
【特許請求の範囲】
【請求項１】
投入された紙幣を１枚ずつ取り込む受入部と、
取り込まれた紙幣の紙幣番号を取得する取得部と、
取り込まれた紙幣の紙幣情報を取得する識別部と、
紙幣を集積する複数の集積部と、
紙幣の搬送を制御する制御部と、
を備え、
前記制御部は、前記識別部が取得した紙幣情報に基づいて紙幣の搬送先を決定し、前記複数の集積部のいずれかに分類集積するように紙幣の搬送を制御するとともに、前記取得部が取得した紙幣番号と分類情報とを関連付けて記憶する通常モード、及び前記取得部が取得した紙幣番号に関連付けられている分類情報に基づいて紙幣の搬送先を決定し、前記複数の集積部のいずれかに分類集積するように紙幣の搬送を制御する紙幣番号モードのうちいずれか一方のモードを実行することを特徴とする紙幣処理装置。
【請求項２】
紙幣の搬送に関する障害を検知する障害検知部をさらに備え、
前記制御部は、前記障害検知部により障害が検知された場合に、前記紙幣番号モードを実行することを特徴とする請求項１に記載の紙幣処理装置。
【請求項３】
前記分類情報は、前記識別部が取得した紙幣情報であることを特徴とする請求項１または２に記載の紙幣処理装置。
【請求項４】
前記分類情報は、前記識別部が取得した紙幣情報に基づいて搬送先として決定した集積部に関する情報であることを特徴とする請求項１または２に記載の紙幣処理装置。
【請求項５】
取引毎に計数確定の指示を受け付ける受付部をさらに備え、
前記制御部は、前記受付部が計数確定の指示を受け付けた取引分に含まれる紙幣の紙幣番号及び分類情報を記憶することを特徴とする請求項１乃至４のいずれかに記載の紙幣処理装置。
【請求項６】
前記制御部は、前記紙幣番号モードにおいて、前記取得部が取得した紙幣番号が記憶されていない場合、前記識別部が取得した紙幣情報に基づいて紙幣の搬送先を決定することを特徴とする請求項１乃至５のいずれかに記載の紙幣処理装置。
【請求項７】
リジェクト紙幣を集積するリジェクト部をさらに備え、
前記制御部は、前記紙幣番号モードにおいて、前記取得部が取得した紙幣番号が記憶されていない場合、この紙幣番号を有する紙幣の搬送先を前記リジェクト部とすることを特徴とする請求項１乃至５のいずれかに記載の紙幣処理装置。
【請求項８】
紙幣の搬送に関する障害を検知する障害検知部により障害が検知された場合に、確定していない取引分の紙幣が集積されている集積部を報知する報知部をさらに備えることを特徴とする請求項５乃至７のいずれかに記載の紙幣処理装置。
【請求項９】
通常モードにおいて、受入部が投入された紙幣を１枚ずつ取り込む工程と、
取得部が、取り込まれた紙幣の紙幣番号を取得する工程と、
識別部が、取り込まれた紙幣の紙幣情報を取得する工程と、
前記紙幣情報に基づいて紙幣を複数の集積部に分類集積する工程と、
前記紙幣番号と前記分類情報とを関連付けて記憶する工程と、
紙幣番号モードにおいて、前記集積部から紙幣を取り出して、前記受入部に再投入する工程と、
前記受入部が、再投入された紙幣を１枚ずつ取り込み、前記取得部が取り込まれた紙幣の紙幣番号を取得し、取得した紙幣番号に関連付けられている分類情報に基づいて紙幣を前記複数の集積部に分類集積する工程と、
を備える紙幣処理方法。
【請求項１０】
紙幣の搬送に関する障害を検知した場合に、前記紙幣番号モードが実行されることを特徴とする請求項９に記載の紙幣処理方法。
【請求項１１】
前記集積部から取り出した紙幣を、集積順序を保ったまま前記受入部に再投入することを特徴とする請求項９又は１０に記載の紙幣処理方法。
【請求項１２】
前記紙幣番号モードにおいて、前記受入部と前記集積部との間の搬送路上の紙幣を取り出し、前記集積部から取り出した紙幣の後に、前記受入部に再投入することを特徴とする請求項９乃至１１のいずれかに記載の紙幣処理方法。
【請求項１３】
前記受入部への紙幣の再投入後、前記取得部が取得した紙幣番号が記憶されていない場合、この紙幣番号を有する紙幣をリジェクト部に集積することを特徴とする請求項９乃至１２のいずれかに記載の紙幣処理方法。
【発明の詳細な説明】
【技術分野】
【０００１】
本発明は、紙幣を分類集積する紙幣処理装置及び紙幣処理方法に係り、紙幣番号を利用して紙幣を分類する紙幣処理装置及び紙幣処理方法に関し、特に障害が発生した場合に、復旧処理において障害発生前と同じ分類状態を再現できる紙幣処理装置及び紙幣処理方法に関する。
【背景技術】
【０００２】
複数の集積部を有する紙幣処理装置を用いた入金処理を行う際に、紙幣を汚損状態によってランク付けし、再利用に適した正券と、再利用に適さない損券とを異なる集積部に分類集積させることが行われている。複数の入金取引を連続処理して、２回目取引分の処理途中でジャム等の障害が発生した場合、各集積部には、確定した初回取引分の紙幣と、未確定で処理途中の２回目取引分の紙幣とが混在する。【０００３】
特許文献１は、障害復旧処理において、確定した取引分についての確定枚数を再現する紙幣処理装置を開示している。特許文献１の紙幣処理装置は、紙幣の金種識別及び正損判定を行い、紙幣を金種及び正損別に複数の集積部に集積するとともに、各集積部の確定枚数を記憶手段が記憶する。入金処理中に障害が発生した場合、オペレータが各集積部に集積されているすべての紙幣を、堆積された順番を保ったまま、ホッパに再載置する。そして、ホッパに再載置された紙幣の金種識別及び正損の判定を行い、紙幣を金種及び正損別に元の集積部に集積する。このとき、複数の集積部のいずれかの集積枚数が、記憶手段に記憶されている当該集積部の確定枚数に達した場合、確定枚数に達した集積部に割り当てられている金種の紙幣については、正損の判定の如何に関わらず、この金種が割り当てられている他の集積部に集積する。【０００４】
このように、従来は、正損別に紙幣を集積する集積部の各々についての確定枚数を記憶しておき、障害復旧処理では、正損判定を再度行い、正券（又は損券）の集積部の集積枚数が記憶した確定枚数に達したら、残りの紙幣は判定結果によらず損券（又は正券）の集積部に集積していた。【０００５】
しかし、識別センサで紙幣を読み取るときの条件によって、読み取った汚損状態に誤差が生じるので、正券と損券の見極めが難しい紙幣については、障害発生前と障害復旧処理時とで異なる判定結果が出る可能性がある。そのため、上述のような従来の紙幣処理装置では、障害復旧処理において、正券の集積部の集積枚数が記憶した確定枚数に達した後、明らかな正券が損券の集積部に集積されたり、損券の集積部の集積枚数が記憶した確定枚数に達した後、明らかな損券が正券の集積部に集積されたりするという問題があった。【０００６】
また、金種別に分類集積する場合で、１つの金種について複数の集積部が割り当てられている場合は、同じ金種の２枚の紙幣の集積部が、障害発生前と障害復旧処理時とで入れ替わることがあった。
【先行技術文献】
【特許文献】
【０００７】
【特許文献１】特許４８７００９１号公報
【発明の概要】
【発明が解決しようとする課題】
【０００８】
本発明は、このような点を考慮してなされたものであり、障害が発生した場合に、復旧処理において障害発生前と同じ分類状態を再現できる紙幣処理装置及び紙幣処理方法を提供することを目的とする。さらに詳細には、各紙幣が、障害発生前と障害復旧処理後とで、同じ集積部に集積されるように処理できる紙幣処理装置及び紙幣処理方法を提供することを目的とする。
【課題を解決するための手段】
【０００９】
本発明の一態様による紙幣処理装置は、投入された紙幣を１枚ずつ取り込む受入部と、取り込まれた紙幣の紙幣番号を取得する取得部と、取り込まれた紙幣の紙幣情報を取得する識別部と、紙幣を集積する複数の集積部と、紙幣の搬送を制御する制御部と、を備え、前記制御部は、前記識別部が取得した紙幣情報に基づいて紙幣の搬送先を決定し、前記複数の集積部のいずれかに分類集積するように紙幣の搬送を制御するとともに、前記取得部が取得した紙幣番号と分類情報とを関連付けて記憶する通常モード、及び前記取得部が取得した紙幣番号に関連付けられている分類情報に基づいて紙幣の搬送先を決定し、前記複数の集積部のいずれかに分類集積するように紙幣の搬送を制御する紙幣番号モードのうちいずれか一方のモードを実行することを特徴とする。【００１０】
本発明の一態様による紙幣処理装置は、紙幣の搬送に関する障害を検知する障害検知部をさらに備え、前記制御部は、前記障害検知部により障害が検知された場合に、前記紙幣番号モードを実行することを特徴とする。【００１１】
本発明の一態様による紙幣処理装置は、前記分類情報は、前記識別部が取得した紙幣情報であることを特徴とする。【００１２】
本発明の一態様による紙幣処理装置は、前記分類情報は、前記識別部が取得した紙幣情報に基づいて搬送先として決定した集積部に関する情報であることを特徴とする。【００１３】
本発明の一態様による紙幣処理装置は、取引毎に計数確定の指示を受け付ける受付部をさらに備え、前記制御部は、前記受付部が計数確定の指示を受け付けた取引分に含まれる紙幣の紙幣番号及び分類情報を記憶することを特徴とする。【００１４】
本発明の一態様による紙幣処理装置は、前記制御部は、前記紙幣番号モードにおいて、前記取得部が取得した紙幣番号が記憶されていない場合、前記識別部が取得した紙幣情報に基づいて紙幣の搬送先を決定することを特徴とする。【００１５】
本発明の一態様による紙幣処理装置は、リジェクト紙幣を集積するリジェクト部をさらに備え、前記制御部は、前記紙幣番号モードにおいて、前記取得部が取得した紙幣番号が記憶されていない場合、この紙幣番号を有する紙幣の搬送先を前記リジェクト部とすることを特徴とする。【００１６】
本発明の一態様による紙幣処理装置は、紙幣の搬送に関する障害を検知する障害検知部により障害が検知された場合に、確定していない取引分の紙幣が集積されている集積部を報知する報知部をさらに備えることを特徴とする。【００１７】
本発明の一態様による紙幣処理方法は、通常モードにおいて、受入部が投入された紙幣を１枚ずつ取り込む工程と、取得部が、取り込まれた紙幣の紙幣番号を取得する工程と、識別部が、取り込まれた紙幣の紙幣情報を取得する工程と、前記紙幣情報に基づいて紙幣を複数の集積部に分類集積する工程と、前記紙幣番号と前記分類情報とを関連付けて記憶する工程と、紙幣番号モードにおいて、前記集積部から紙幣を取り出して、前記受入部に再投入する工程と、前記受入部が、再投入された紙幣を１枚ずつ取り込み、前記取得部が取り込まれた紙幣の紙幣番号を取得し、取得した紙幣番号に関連付けられている分類情報に基づいて紙幣を前記複数の集積部に分類集積する工程と、を備える。【００１８】
本発明の一態様による紙幣処理方法は、紙幣の搬送に関する障害を検知した場合に、前記紙幣番号モードが実行されることを特徴とする。【００１９】
本発明の一態様による紙幣処理方法は、前記集積部から取り出した紙幣を、集積順序を保ったまま前記受入部に再投入することを特徴とする。【００２０】
本発明の一態様による紙幣処理方法は、前記紙幣番号モードにおいて、前記受入部と前記集積部との間の搬送路上の紙幣を取り出し、前記集積部から取り出した紙幣の後に、前記受入部に再投入することを特徴とする。【００２１】
本発明の一態様による紙幣処理方法は、前記受入部への紙幣の再投入後、前記取得部が取得した紙幣番号が記憶されていない場合、この紙幣番号を有する紙幣をリジェクト部に集積することを特徴とする。
【発明の効果】
【００２２】
本発明によれば、前回の分類と同じ分類状態を再現でき、特に障害が発生した場合に、復旧処理において障害発生前と同じ分類状態を再現できる。
【図面の簡単な説明】
【００２３】
【図１】本実施形態に係る紙幣処理装置の外観斜視図である。
【図２】本実施形態に係る紙幣処理装置の断面図である。
【図３】本実施形態に係る紙幣処理装置のブロック構成図である。
【図４】本実施形態に係る紙幣処理方法を説明するフローチャートである。
【図５】本実施形態に係る紙幣処理方法を説明するフローチャートである。
【図６】変形例による紙幣処理装置の断面図である。
【図７】変形例による紙幣処理方法を説明するフローチャートである。
【図８】変形例による紙幣処理方法を説明するフローチャートである。
【発明を実施するための形態】
【００２４】
以下、本発明の実施の形態を図面に基づいて説明する。
【００２５】
図１は、本実施形態に係る紙幣処理装置１００の斜視図であり、図２は紙幣処理装置１００の断面図である。また、図３は、紙幣処理装置１００のブロック構成図である。図１及び図２に示すように、紙幣処理装置１００は、オペレータによって積層状態で投入された紙幣を１枚ずつ取り込む受入部１０１と、受入部１０１によって取り込まれた紙幣を搬送する搬送部１１４と、搬送部１１４に設けられ、当該搬送部１１４によって搬送される紙幣を識別する識別部１１３と、を備えている。
【００２６】
また、図２に示すように、受入部１０１と識別部１１３との間には、受入部１０１によって取り込まれた紙幣の搬送状態を検知する搬送状態検出センサ１２１、１２２が設けられている。
【００２７】
識別部１１３は、搬送部１１４によって搬送されている紙幣の画像を読み取る画像読取センサ１２３を有している。識別部１１３は、画像読取センサ１２３によって読み取られた画像データに基づいて、紙幣の通貨、金種、方向、正損、新旧、真偽などを識別し、紙幣情報を取得する。方向は、表前、表後、裏前、裏後の４方向ある。具体的には、紙幣の短辺に平行な方向に紙幣を搬送する場合は、肖像が上で且つ肖像の頭の方から取り込まれる方向が表前、肖像が上で且つ頭と反対の方から取り込まれる方向が表後、肖像が下で且つ肖像の頭の方から取り込まれる方向が裏前、肖像が下で且つ頭と反対の方から取り込まれる方向が裏後となる。
【００２８】
また、画像読取センサ１２３によって読み取られた画像データに基づいて、紙幣の紙幣番号を取得する取得部１１２が設けられている。取得部１１２は識別部１１３の一部でもよいし、識別部１１３とは別個に設けられていてもよい。
【００２９】
また、識別部１１３の下流側には、集積部１０６ａ〜１０６ｄのいずれへも集積されないと判断された紙幣が集積されるリジェクト部１０２ａ、１０２ｂが連結されている。例えば、リジェクト部１０２ａには、識別異常や搬送異常であると判断された紙幣が集積される。また、リジェクト部１０２ｂには、識別部１１３の真偽判定によって偽券である判断された紙幣が集積される。
【００３０】
ここで、搬送異常とは、搬送部１１４によって紙幣を搬送する際の異常を意味している。このような搬送異常としては、例えば、紙幣が斜めに搬送されている場合（斜行）や、複数の紙幣が重なって搬送されている場合（重送）や、複数の紙幣が所定の間隔を隔てないで搬送されている場合（連鎖）などが挙げられる。
【００３１】
センサ１２４ａ、１２４ｂは、紙幣が正常にリジェクト部１０２ａ、１０２ｂへと案内されているかを検知する。
【００３２】
識別部１１３の下流側であって搬送部１１４の端部には、搬送部１１４によって搬送された紙幣を集積する集積部１０６ａ〜１０６ｄが連結されている。集積部１０６ａ〜１０６ｄは、受入部１０１により取り込まれた紙幣を、当該紙幣の紙幣情報（通貨、金種、方向、正損、新旧等）に基づいて、分類して集積する。
【００３３】
センサ１２５は、リジェクト部１０２ａ、１０２ｂに案内されなかった紙幣が、集積部１０６ａ〜１０６ｄに向かって正常に案内されているかを検知する。センサ１２６ａ〜１２６ｄは、紙幣が正常に集積部１０６ａ〜１０６ｄに案内されているかを検知する。また、センサ１２７ａ〜１２７ｃは、紙幣が正常に搬送されているかを検知する。
【００３４】
また、図１に示すように、紙幣処理装置１００には、オペレータからの指示を受け付けるための入力キーを有する操作部１０３や、様々な情報を表示する表示部１０４が設けられている。また、紙幣処理装置１００には、集積部１０６ａ〜１０６ｄに集積されている紙幣の種類や枚数を表示する個別表示部１０７ａ〜１０７ｄが設けられている。個別表示部１０７ａ〜１０７ｄは、集積部１０６ａ〜１０６ｄに集積されている紙幣の種類や集積枚数を表示する。紙幣の種類とは、例えば、通貨、金種、方向、正損、新旧などである。表示部１０４及び個別表示部１０７ａ〜１０７ｄは、例えばＬＣＤ等のディスプレイである。
【００３５】
図３に示すように、紙幣処理装置１００は、各部を制御する制御部１１１と、記憶部１１８とを有している。
【００３６】
制御部１１１は、記憶部１１８に記憶された制御プログラムに基づいて、各部を制御する。制御部１１１はＣＰＵ等のプロセッサである。また、記憶部１１８は、ＲＯＭ、ＲＡＭ、ハードディスクドライブ、フラッシュメモリ等の記憶媒体を１つ以上有する。
【００３７】
また、紙幣処理装置１００は、紙幣の搬送に関する障害の発生を検知する障害検知部１１６を備えている。例えば、障害検知部１１６は、センサ１２１、１２２、１２５、１２７ａ〜１２７ｃの検知結果から、ジャム等の障害の発生を検知する。
【００３８】
制御部１１１は、通常モードと紙幣番号モードの２つのモードを切り替えて実行することができる。通常モードは、通常の紙幣処理時に実行されるモードであり、紙幣番号モードは、予め関連付けられた紙幣番号と分類情報に基づき紙幣を分類するモードであり、例えば、障害検知部１１６により障害発生が検知された後、障害復旧処理時に実行されるモードである。
【００３９】
通常モードにおいて、制御部１１１は、識別部１１３が取得した紙幣情報に基づいて紙幣を集積部１０６ａ〜１０６ｄのいずれへ搬送するかを決定し、搬送部１１４を制御する。また、制御部１１１は、分類情報と、取得部１１２が取得したこの紙幣の紙幣番号とを関連付けて記憶部１１８に記憶させる。ここで、分類情報は、紙幣の分類に関する情報であり、例えば、紙幣の搬送先である。例えば、集積部１０６ａに１００００円紙幣、集積部１０６ｂに１０００円紙幣、集積部１０６ｃに５０００円紙幣が割り当てられており、受入部１０１により取り込まれた紙幣が５０００円紙幣、この紙幣の紙幣番号がＦＭ７６６４７１Ｌである場合、制御部１１１は、紙幣番号ＦＭ７６６４７１Ｌに集積部１０６ｃを関連付けて記憶部１１８に記憶させる。
【００４０】
制御部１１１は、個別表示部１０７ａ〜１０７ｄに、集積部１０６ａ〜１０６ｄに割り当てられている紙幣の種類や、集積部１０６ａ〜１０６ｄの集積枚数を表示させる。また、１取引分の紙幣の処理が終了すると、制御部１１１は、紙幣の計数結果を表示部１０４に表示し、操作部１０３を介してユーザから確定指示を受け付けると、１取引分の紙幣の計数結果を確定し、確定した計数結果を記憶部１１８に記憶させる。
【００４１】
次に、紙幣番号モードが実行される処理の一例として、障害復旧処理について説明する。障害検知部１１６により障害発生が検知されると、制御部１１１は紙幣処理装置１００の動作を停止させる。紙幣処理装置１００の動作停止後、ユーザが集積部１０６ａ〜１０６ｄ内の紙幣を取り出し、受入部１０１に再投入する。制御部１１１は、紙幣番号モードを実行し、受入部１０１に再投入された紙幣の取り込みを開始する。
【００４２】
紙幣番号モードにおいても、取得部１１２は取り込まれた紙幣の紙幣番号を取得するが、識別部１１３による紙幣情報の取得は必須ではない。制御部１１１は、取得部１１２が取得した紙幣番号を用いて記憶部１１８を検索する。取得部１１２が取得した紙幣番号と同じ紙幣番号が記憶部１１８に記憶されている場合、制御部１１１は、この紙幣番号に関連付けられている分類情報（紙幣の搬送先）を抽出する。制御部１１１は、記憶部１１８から抽出した紙幣の搬送先を、取り込まれた紙幣の搬送先として決定し、搬送部１１４を制御する。これにより、受入部１０１に再投入された紙幣は、障害発生前に集積されていた集積部へ搬送される。
【００４３】
次に、本実施形態による紙幣処理方法を図４、図５に示すフローチャートを用いて説明する。図４に示すフローチャートは、通常モードにおける紙幣処理に対応し、図５に示すフローチャートは、障害発生が検知された後の紙幣番号モードにおける紙幣処理に対応している。
【００４４】
まず、図４に示すフローチャートを用いて、通常モードにおける紙幣処理方法について説明する。
【００４５】
（ステップＳ１０１）１取引分の紙幣を受入部１０１に投入する。
【００４６】
（ステップＳ１０２）受入部１０１が紙幣を１枚ずつ取り込む。
【００４７】
（ステップＳ１０３）識別部１１３が、取り込まれた紙幣の紙幣情報（通貨、金種、方向、正損、新旧、真偽）を取得する。また、取得部１１２が、取り込まれた紙幣の紙幣番号を取得する。
【００４８】
（ステップＳ１０４）制御部１１１が、ステップＳ１０３で取得された紙幣情報に基づいて、紙幣の搬送先を決定する。集積部１０６ａ〜１０６ｄには、集積紙幣の種類が予め割り当てられている。集積部１０６ａ〜１０６ｄに割り当てられていない種類の紙幣や、偽券はリジェクト部１０２ａ、１０２ｂへ搬送される。
【００４９】
（ステップＳ１０５）紙幣が集積部１０６ａ〜１０６ｄ又はリジェクト部１０２ａ、１０２ｂに分類集積される。
【００５０】
（ステップＳ１０６）制御部１１１が、ステップＳ１０３で取得された紙幣番号と、この紙幣の搬送先とを関連付けて記憶部１１８に記憶させる。
【００５１】
（ステップＳ１０７）受入部１０１に投入された紙幣を全て取り込んだ場合はステップＳ１０８へ進み、受入部１０１に紙幣が残っている場合はステップＳ１０２に戻る。
【００５２】
（ステップＳ１０８）計数結果が表示部１０４に表示され、ユーザが操作部１０３を介して確定指示を入力する。
【００５３】
（ステップＳ１０９）次の取引分の紙幣がある場合はステップＳ１０１に戻る。
【００５４】
このように、通常モードでは、紙幣が種類に応じて分類集積されるとともに、紙幣番号と紙幣の搬送先とが関連付けられて記憶部１１８に記憶される。
【００５５】
次に、図５に示すフローチャートを用いて、障害復旧処理の場合の紙幣番号モードにおける紙幣処理方法について説明する。
【００５６】
（ステップＳ２０１）障害検知部１１６により障害発生が検知されると、制御部１１１は紙幣番号モードを実行し、受入部１０１による紙幣の取り込み、及び搬送部１１４による紙幣の搬送等を停止させる。
【００５７】
ユーザは、集積部１０６ａ〜１０６ｄに集積されている紙幣を取り出す。また、搬送部１１４による搬送途中の紙幣（搬送路上の紙幣）も取り出す。さらに、リジェクト部１０２ａ、１０２ｂに集積されている紙幣を取り出してもよい。
【００５８】
（ステップＳ２０２）ステップＳ２０１で取り出した紙幣を受入部１０１に再投入する。搬送路から取り出した紙幣は、集積部１０６ａ〜１０６ｄから取り出した紙幣の後に受入部１０１へ再投入する。
【００５９】
（ステップＳ２０３）受入部１０１が紙幣を１枚ずつ取り込む。
【００６０】
（ステップＳ２０４）取得部１１２が、取り込まれた紙幣の紙幣番号を取得する。また、リジェクト部１０２ａ、１０２ｂに集積されている紙幣を取り出し、受入部１０１に再投入する場合は、識別部１１３が、取り込まれた紙幣の紙幣情報（通貨、金種、方向、正損、新旧、真偽）を取得してもよい。
【００６１】
（ステップＳ２０５）制御部１１１がステップＳ２０４で取得された紙幣番号を用いて記憶部１１８を検索する。
【００６２】
（ステップＳ２０６）ステップＳ２０４で取得された紙幣番号と同じ紙幣番号が記憶部１１８に記憶されている場合はステップＳ２０７へ進み、記憶されていない場合はステップＳ２０８へ進む。ここで、ステップＳ２０４で取得された紙幣番号と同じ紙幣番号が記憶部１１８に記憶されていない紙幣とは、ステップＳ２０１でリジェクト部１０２ａ、１０２ｂから取り出した紙幣である。リジェクト部１０２ａ、１０２ｂに集積されていた紙幣には、搬送異常や識別異常により、紙幣番号または紙幣情報を正常に取得できなかった紙幣が含まれるためである。
【００６３】
（ステップＳ２０７）制御部１１１は、ステップＳ２０４で取得された紙幣番号と同じ紙幣番号に関連付けられている分類情報（紙幣の搬送先）を記憶部１１８から抽出する。制御部１１１は、抽出した紙幣の搬送先を、取り込まれた紙幣の搬送先として決定する。
【００６４】
（ステップＳ２０８）制御部１１１が、ステップＳ２０４で取得された紙幣情報に基づいて、紙幣の搬送先を決定する。集積部１０６ａ〜１０６ｄに割り当てられている集積紙幣の種類は通常モードと同じである。
【００６５】
（ステップＳ２０９）制御部１１１が、ステップＳ２０４で取得された紙幣番号と、この紙幣の搬送先とを関連付けて記憶部１１８に記憶させる。
【００６６】
なお、ステップＳ２０４で取得された紙幣番号と同じ紙幣番号が記憶部１１８に記憶されていない紙幣については、ステップＳ２０８とステップＳ２０９に代えて、すべてリジェクト部１０２ａ、１０２ｂに分類集積するようにしてもよい。
【００６７】
（ステップＳ２１０）紙幣が集積部１０６ａ〜１０６ｄ又はリジェクト部１０２ａ、１０２ｂに分類集積される。
【００６８】
（ステップＳ２１１）受入部１０１に再投入された紙幣を全て取り込んだ場合は通常モードに戻り、受入部１０１に紙幣が残っている場合はステップＳ２０３に戻る。
【００６９】
これにより、受入部１０１に再投入された紙幣は、障害発生前に集積されていた集積部１０６ａ〜１０６ｄへ搬送される。
【００７０】
本実施形態では、紙幣番号と搬送先とを関連付けて記憶しておき、障害復旧処理時に再投入された紙幣の搬送先を、この紙幣の紙幣番号に関連付けられている搬送先とする。そのため、例えば、正券と損券の見極めが難しく、障害発生前と障害復旧処理時とで異なる判定結果が出る可能性がある紙幣であっても、紙幣番号から搬送先を決定するため、障害発生前と同じ集積部に集積することができる。また、金種別に分類集積し、１つの金種について複数の集積部を割り当てている場合であっても、障害発生前と障害復旧処理後とで同じ集積部に集積することができる。
【００７１】
このように、本実施形態によれば、各紙幣を、通常モードと紙幣番号モードとで、同じ集積部に集積することができ、特に、障害復旧処理において紙幣番号モードを実行した場合は、障害発生前と障害復旧処理後とで同じ分類状態を再現することができる。
【００７２】
上記実施形態において、障害復旧処理時に集積部１０６ａ〜１０６ｄから取り出した紙幣は、集積順序を保ったまま受入部１０１に再投入することが好ましい。このことにより、障害発生前と障害復旧処理後とで、集積部１０６ａ〜１０６ｄにおける集積順序も再現することができる。
【００７３】
上記実施形態では、紙幣番号に関連付けられる分類情報を紙幣の搬送先としていたが、識別部１１３が取得した紙幣情報でもよい。この場合、制御部１１１は、紙幣番号モードにおいて、取り込まれた紙幣の紙幣番号に関連付けられた紙幣情報を記憶部１１８から抽出し、この紙幣情報に基づいて紙幣の搬送先を決定する。通常モード時に紙幣の搬送先決定に用いられた紙幣情報と同じ紙幣情報に基づいて紙幣の搬送先を決定するため、通常モードと紙幣番号モードとで、各紙幣を同じ集積部に集積することができる。
【００７４】
また、上記実施形態において、計数結果の確定した取引分の紙幣について、紙幣番号及びこれに関連付けられた分類情報を記憶部１１８に記憶するようにしてもよい。例えば、１取引分の紙幣の計数結果の確定前は、紙幣番号及び分類情報をキャッシュメモリやメインメモリ等の一次記憶装置に記憶しておき、確定後はＨＤＤやフラッシュメモリ等の二次記憶装置に記憶する。障害発生の検知に伴い、一次記憶装置内の処理途中の取引分の紙幣番号及び分類情報は消去し、二次記憶装置に記憶されている情報を取り出して一次記憶装置に書き込む。このようにすることで、計数結果の確定した取引分の紙幣について、障害発生前と同じ分類状態を再現することができる。
【００７５】
上記実施形態では、ステップＳ２０４で取得された紙幣番号と同じ紙幣番号が記憶部１１８に記憶されていない場合、制御部１１１が、ステップＳ２０４で取得された紙幣情報に基づいて、紙幣の搬送先を決定していたが、紙幣番号が記憶部１１８に記憶されていない紙幣はリジェクト部１０２ａ、１０２ｂへ搬送するようにしてもよい。
【００７６】
また、障害検知部１１６により障害発生が検知された時に計数結果の確定していない（処理途中の）取引分の紙幣が集積されている集積部を報知する報知部を設けてもよい。未確定の取引分の紙幣が集積されていない集積部については、紙幣の取り出し・再投入は不要である。そのため、報知された集積部のみから紙幣を取り出して再投入すればよく、復旧処理を速やかに行うことができる。個別表示部１０７ａ〜１０７ｄが報知部の機能を持つようにしてもよい。
【００７７】
図６は変形例による紙幣処理装置４００の概略構成を示している。紙幣処理装置４００は、受入部４０１、搬送部４０２、識別部４０３ａ、取得部４０３ｂ、反転機構４０４、リジェクト部４０５ａ、４０５ｂ、４０５ｃ、外部スタッカ４０６ａ〜４０６ｆ、集積部４０７ａ〜４０７ｃ、束搬送部４０８、端数紙幣返却部４０９、紙幣結束部４１０、結束紙幣収納部４１１、及び制御部４２０を備える。また、紙幣処理装置４００は、図示しない操作表示部を備える。
【００７８】
受入部４０１は、ユーザによって載置された紙幣を１枚ずつ紙幣処理装置４００の筐体の内部に取り込むようになっている。
【００７９】
搬送部４０２は、紙幣処理装置４００の筐体の内部に設けられており、受入部４０１によって取り込まれた紙幣を搬送する。搬送部４０２は制御部４２０に従って紙幣の搬送を行う。
【００８０】
この搬送部４０２は例えば、ベルト搬送機構が組み合わされたものからなる。ベルト搬送機構は、一対または３以上のローラおよび各ローラに張架された例えばゴムベルトから構成されている。
【００８１】
識別部４０３ａは、搬送部４０２に介設されており、搬送部４０２によって搬送される紙幣の通貨、金種、真偽、正損、方向、新旧等を判別し、紙幣情報を取得する。取得部４０３ｂは、搬送部４０２によって搬送される紙幣の紙幣番号を取得する。
【００８２】
搬送部４０２は識別部４０３ａの先で分岐されており、識別部４０３ａの識別結果に応じてリジェクト紙幣はリジェクト部４０５ａ、４０５ｂへ搬送され、集積される。リジェクト部４０５ａ、４０５ｂにはリジェクト紙幣がリジェクト要因別に搬送される。
【００８３】
一方、リジェクト紙幣でない紙幣は反転機構４０４において、識別部４０３ａによる表裏判定結果に応じて、すべての紙幣の表裏面が一致するように表裏反転される。表裏面が一致するように表裏反転された紙幣のうち、結束対象でない紙幣は識別部４０３ａにより判定された紙幣情報に基づいて外部スタッカ４０６ａ〜４０６ｆのいずれかに集積される。結束対象の紙幣や、外部スタッカ４０６ａ〜４０６ｆに割り当てられている集積紙幣の種類は予め設定されている。
【００８４】
結束対象紙幣は集積部４０７ａ〜４０７ｃのいずれかへ搬送される。集積部４０７ａ〜４０７ｃの各々の紙幣受入口には、搬送されてきた紙幣の枚数を検出するセンサ（図示せず）が設けられており、このセンサは集積部４０７ａ〜４０７ｃに集積されている紙幣の枚数を制御部４２０へ出力する。集積部４０７ａ〜４０７ｃの集積枚数が所定枚数に達すると、束搬送部４０８が当該集積部に集積されている紙幣束を取り出し、紙幣結束部４１０へ搬送する。
【００８５】
集積部４０７ａ〜４０７ｃのうち、いずれか１つは紙幣が搬送されないように、つまり空になるように設定されている。束搬送部４０８が集積部から紙幣束を取り出している時、当該集積部は紙幣を受け入れることができないため、空になっている集積部へ搬送され、集積される。
【００８６】
紙幣結束部４１０へ搬送された紙幣束は、帯封処理され、結束紙幣収納部４１１に収納される。
【００８７】
また、束搬送部４０８は集積部４０７ａ〜４０７ｃ内の端数紙幣を端数紙幣返却部４０９へ搬送することができる。端数紙幣返却部４０９は例えばオープンポケットである。
【００８８】
上記実施形態と同様に、制御部４２０は、通常モードにおいて、紙幣番号と紙幣の分類情報（紙幣の搬送先又は紙幣情報）とを関連付けて記憶部（図示せず）に記憶させる。
【００８９】
障害検知部（図示せず）により障害発生が検知されると、制御部４２０は受入部４０１による紙幣の取り込み及び搬送部４０２による紙幣の搬送を停止させる。そして、ユーザは外部スタッカ４０６ａ〜４０６ｆに集積されている紙幣や搬送路上の紙幣を取り出し、受入部４０１に再投入する。また、集積部４０７ａ〜４０７ｃに集積されている紙幣をリジェクト部４０５ｃから返却して、受入部４０１に再投入する。紙幣結束部４１０により結束された紙幣は、再投入せず、結束紙幣の計数結果については仮確定としておく。
【００９０】
制御部４２０は、紙幣番号モードを実行し、受入部４０１が取り込んだ紙幣の紙幣番号を用いて記憶部を検索し、この紙幣番号に関連付けられている分類情報を抽出し、抽出した分類情報に基づいて紙幣の搬送先を決定する。
【００９１】
これにより、各紙幣は、障害発生前と障害復旧処理後とで、同じ外部スタッカ４０６ａ〜４０６ｆに集積することができ、障害発生前と同じ分類状態を再現することができる。
【００９２】
上記実施形態は、主に障害復旧処理について説明したが、本発明の実施形態は障害復旧処理に限定されるものではない。例えば、紙幣処理装置で分類処理した紙幣を再度分類処理する場合であって、最初の分類処理と同じ分類状態を再現する必要が生じた場合に、本発明を実施できる。最初の分類処理を通常モードで処理し、２回目の分類処理を紙幣番号モードで処理することにより、最初の分類処理と２回目の分類処理とで、同じ分類状態を再現することができる。
【００９３】
また、上記実施形態における紙幣番号モードでの紙幣処理を、入金キャンセル処理に適応してもよい。
【００９４】
入金処理では、１取引分の紙幣を１枚ずつ取り込み、各紙幣の紙幣番号及び紙幣情報を取得し、紙幣情報に基づいて紙幣の搬送先を決定し、集積部１０６ａ〜１０６ｄ又はリジェクト部１０２ａ、１０２ｂに集積する。１取引分の紙幣が全て取り込まれると、計数結果が表示部１０４に表示され、ユーザが確定指示を入力すると、計数結果が確定するとともに、各紙幣の紙幣番号と分類情報（紙幣の搬送先）とが関連付けられて、記憶部１１８に記憶される。
【００９５】
そして、新規の入金取引分の紙幣がある場合は、確定した前回取引分の紙幣が集積部１０６ａ〜１０６ｄに集積された（残された）状態で、新規の入金取引分の紙幣が連続して処理される。
【００９６】
この新規の入金取引分の紙幣についても、同様の入金処理が行われる。そして、表示部１０４に表示された計数結果をユーザが受け入れずに、入金をキャンセルする場合、キャンセル処理を行う。計数結果が確定していないため、入金キャンセル取引分の紙幣の紙幣番号は、記憶部１１８に記憶されていない。図７に示すフローチャートを用いてキャンセル処理について説明する。
【００９７】
（ステップＳ３０１）ユーザが、集積部１０６ａ〜１０６ｄ（及びリジェクト部１０２ａ、１０２ｂ）に集積されている紙幣を取り出す。
【００９８】
（ステップＳ３０２）ステップＳ３０１で取り出した紙幣を受入部１０１に再投入する。
【００９９】
（ステップＳ３０３）受入部１０１が紙幣を１枚ずつ取り込む。
【０１００】
（ステップＳ３０４）取得部１１２が、取り込まれた紙幣の紙幣番号を取得する。
【０１０１】
（ステップＳ３０５）制御部１１１がステップＳ３０４で取得された紙幣番号を用いて記憶部１１８を検索する。
【０１０２】
（ステップＳ３０６）ステップＳ３０４で取得された紙幣番号と同じ紙幣番号が記憶部１１８に記憶されている場合はステップＳ３０７へ進み、記憶されていない場合はステップＳ３０８へ進む。ここで、ステップＳ３０４で取得された紙幣番号と同じ紙幣番号が記憶部１１８に記憶されていない紙幣とは、入金がキャンセルされた取引分の紙幣である。
【０１０３】
（ステップＳ３０７）制御部１１１は、ステップＳ３０４で取得された紙幣番号と同じ紙幣番号に関連付けられている分類情報（紙幣の搬送先）を記憶部１１８から抽出する。制御部１１１は、抽出した紙幣の搬送先を、取り込まれた紙幣の搬送先として決定する。
【０１０４】
（ステップＳ３０８）制御部１１１が、取り込まれた紙幣の搬送先をリジェクト部１０２ａ又は１０２ｂに決定する。
【０１０５】
（ステップＳ３０９）紙幣が集積部１０６ａ〜１０６ｄ又はリジェクト部１０２ａ、１０２ｂに分類集積される。
【０１０６】
（ステップＳ３１０）受入部１０１に再投入された紙幣を全て取り込んだ場合はキャンセル処理を終了し、受入部１０１に紙幣が残っている場合はステップＳ３０３に戻る。
【０１０７】
これにより、入金キャンセル取引分の紙幣は全てリジェクト部１０２ａ、１０２ｂに搬送されるとともに、入金が確定している前回取引分の紙幣は、キャンセル処理の実行前に集積されていた集積部１０６ａ〜１０６ｄへ搬送される。このようにして、入金をキャンセルした場合に、入金キャンセル取引分の紙幣と同じ紙幣（現物の紙幣）を、入金確定済の取引分の紙幣と分離して抽出することができる。
【０１０８】
また、上記実施形態における紙幣番号モードでの紙幣処理を利用して、入金確定済の過去の取引分について入金をキャンセルするとともに、この取引に含まれる紙幣を分離抽出することもできる。この場合、入金処理において、各取引に対し、取引を一意に特定できる取引ＩＤを付与する。取引ＩＤはユーザが入力してもよいし、紙幣処理装置が自動的に付与してもよい。
【０１０９】
入金処理では、１取引分の紙幣を１枚ずつ取り込み、各紙幣の紙幣番号及び紙幣情報を取得し、紙幣情報に基づいて紙幣の搬送先を決定し、集積部１０６ａ〜１０６ｄ又はリジェクト部１０２ａ、１０２ｂに集積する。また、取引ＩＤと、各紙幣の紙幣番号と、分類情報（紙幣の搬送先）とが関連付けられて、記憶部１１８に記憶される。１取引分の紙幣が全て取り込まれると、計数結果が表示部１０４に表示され、ユーザが確定指示を入力すると、計数結果が確定する。
【０１１０】
そして、新規の入金取引分の紙幣がある場合は、確定した前回取引分の紙幣が集積部１０６ａ〜１０６ｄに集積された（残された）状態で、新規の入金取引分の紙幣が連続して処理される。複数の取引分の入金処理を行った後、確定済の過去の取引分について入金キャンセル処理を行う方法を、図８に示すフローチャートを用いて説明する。
【０１１１】
（ステップＳ４０１）ユーザが、入金をキャンセルする取引の取引ＩＤを入力する。取引ＩＤの入力は、ユーザが操作部１０３から行ってもよいし、キャンセルする取引の候補となる取引ＩＤを表示し、その中からユーザが選択してもよい。
【０１１２】
（ステップＳ４０２）ユーザが、集積部１０６ａ〜１０６ｄ（及びリジェクト部１０２ａ、１０２ｂ）に集積されている紙幣を取り出す。
【０１１３】
（ステップＳ４０３）ステップＳ４０２で取り出した紙幣を受入部１０１に再投入する。
【０１１４】
（ステップＳ４０４）受入部１０１が紙幣を１枚ずつ取り込む。
【０１１５】
（ステップＳ４０５）取得部１１２が、取り込まれた紙幣の紙幣番号を取得する。
【０１１６】
（ステップＳ４０６）制御部１１１がステップＳ４０５で取得された紙幣番号を用いて記憶部１１８を検索する。
【０１１７】
（ステップＳ４０７）ステップＳ４０５で取得された紙幣番号と同じ紙幣番号に関連付けて記憶部１１８に記憶されている取引ＩＤが、ステップＳ４０１で入力された取引ＩＤと一致する場合はステップＳ４０８へ進み、異なる場合はステップＳ４０９へ進む。
【０１１８】
（ステップＳ４０８）制御部１１１が、取り込まれた紙幣の搬送先をリジェクト部１０２ａ又は１０２ｂに決定する。
【０１１９】
（ステップＳ４０９）制御部１１１は、ステップＳ４０５で取得された紙幣番号と同じ紙幣番号に関連付けられている分類情報（紙幣の搬送先）を記憶部１１８から抽出する。制御部１１１は、抽出した紙幣の搬送先を、取り込まれた紙幣の搬送先として決定する。
【０１２０】
（ステップＳ４１０）紙幣が集積部１０６ａ〜１０６ｄ又はリジェクト部１０２ａ、１０２ｂに分類集積される。
【０１２１】
（ステップＳ４１１）受入部１０１に再投入された紙幣を全て取り込んだ場合はキャンセル処理を終了し、受入部１０１に紙幣が残っている場合はステップＳ４０４に戻る。
【０１２２】
これにより、入金キャンセル取引分の紙幣は全てリジェクト部１０２ａ、１０２ｂに搬送されるとともに、それ以外の紙幣は、キャンセル処理の実行前に集積されていた集積部１０６ａ〜１０６ｄへ搬送される。このようにして、入金キャンセル取引分の紙幣と同じ紙幣（現物の紙幣）を、その他の取引分の紙幣と分離して抽出することができる。また、取引ＩＤを用いることで、過去の取引分の紙幣についても入金キャンセル処理を行うことができる。
【０１２３】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【０１２４】
１００  紙幣処理装置
１０１  受入部
１０３  操作部
１０４  表示部
１０７ａ〜１０７ｄ  個別表示部
１１１  制御部
１１２  取得部
１１３  識別部
１１４  搬送部
１１６  障害検知部
１１８  記憶部
【図２】
2014017350.tif 000003
【図３】
2014017350.tif 000004
【図４】
2014017350.tif 000005
【図５】
2014017350.tif 000006
【図６】
2014017350.tif 000007
【図７】
2014017350.tif 000008
【図８】
2014017350.tif 000009
【図１】
2014017350.tif 000010
【国際調査報告】
2014017350.tif 000011
2014017350.tif 000012